(57)【要約】【課題】どこでも簡単に靴を乾燥したり温めたりすることができ、小型安価で、且つ、使い勝手の良いヒータ装置を提供する。【解決手段】二つの電熱ヒータ（２Ｒ、２Ｌ）を濡れた靴の中に入れ、９Ｖ角型電池（４）を接続するだけで各々の電熱ヒータ（２Ｒ、２Ｌ）が発熱してその靴（６）を乾燥させることができるように、二つの電熱ヒータ（２Ｒ、２Ｌ）の各々に電源電力を供給する電気コード（３）でこれら電熱ヒータ（２Ｒ、２Ｌ）を互いに繋ぎ合わせ、その電気コード（３）に電源となる電池（４）を接続する接続端子具（５）を設けた。【選択図】図１
2004225941.tif 000002
【特許請求の範囲】
【請求項１】
二つの電熱ヒータが、各々に電源電力を供給する電気コードを介して互いに繋ぎ合わされると共に、その電気コードに、電源となる電池を接続する接続端子具が設けられていることを特徴とするヒータ装置。
【請求項２】
前記両電熱ヒータが、各々電熱体とこれを収容するケース体とで構成され、双方のケース体が、互いに脱着自在に合体して前記電気コードを巻き付けるスプール型のコードリールを成す形状に形成されている請求項１記載のヒータ装置。
【請求項３】
前記接続端子具が、９Ｖ角型電池の陽極と陰極を嵌合させる陽極プラグと陰極プラグを備えた請求項１又は２記載のヒータ装置。
【請求項４】
前記電熱ヒータが、各々靴の中に挿入可能な大きさ及び形状に形成された請求項１乃至３記載のヒータ装置。
【請求項５】
前記両電熱ヒータ、各々電熱体とこれを収容するケース体とで構成され、双方のケース体に脱臭材が設けられた請求項２記載のヒータ装置。
【発明の詳細な説明】
【０００１】
【発明の属する技術分野】
本発明は、乾電池や充電池を電源とするヒータ装置に関し、雨や雪に濡れた靴を乾燥するために用いて好適なものである。
【０００２】
【従来の技術】
外出時に雨や雪に降られて靴の中まで水が染み込むと、帰宅後一晩中干してもなかなか乾燥させることができないため、短時間で乾燥させることができるように電熱ヒータを内蔵した靴が提案されている（特許文献１、２参照）。
【０００３】この靴は、靴底にシート状の電熱ヒータが設けられると共に、踵にその電源となる電池を収納する電池収納部が形成され、靴を履いたときに靴底に設けたスイッチがオンされて、または、靴の横に設けたスイッチをオンすることにより電熱ヒータに通電され、靴が加熱乾燥されるようになっている。
【０００４】
【特許文献１】実用新案登録第３０６１７５０号
【特許文献２】実用新案登録第３０５０２６８号
【０００５】
【発明が解決しようとする課題】
しかしながら、そのように乾燥することができる靴は、電熱ヒータを内蔵したその靴のみであり、それ以外の普通の靴を乾燥することはできない。
また、靴の踵に形成される電池収納部には、電池交換用の蓋を設けたり、充電池を使用する場合には充電回路を設けたりしなければならないため構造が複雑になり、製造コストが嵩み、靴自体が重くなって歩き難いという問題がある。
さらに、靴の踵は減り易く、頻繁に交換修理を必要とするところであるため、電池収納部やこれに付随する電気回路が壊れやすいと言う問題を生ずる。
【０００６】このため、雨や雪の日に外出したり、屋外で長時間警備したり、屋外作業をしたり、スキー場などに遊びに行ったりして靴が濡れた場合に、家庭でも外出先でも靴を簡単に乾燥させることのできる小型のヒータ装置が望まれており、また、そのような小型のヒータ装置があれば寒い日にズボンのポケットに入れて腰や手を温めることもでき、その用途も広い。
【０００７】そこで本発明は、どこでも簡単に靴を乾燥させたり、指先や腰を温めたりすることができ、小型安価で、且つ、使い勝手の良いヒータ装置を提供することを技術的課題としている。
【０００８】
【課題を解決するための手段】
この課題を解決するために、本発明に係るヒータ装置は、二つの電熱ヒータが、各々に電源電力を供給する電気コードを介して互いに繋ぎ合わされると共に、その電気コードに、電源となる電池を接続する接続端子具が設けられていることを特徴とする。
【０００９】本発明によれば、接続端子具に例えば請求項３のように９Ｖ角型電池を接続すると、その電池から電気コードを介して各々の電熱ヒータに電源電力が供給されて、双方の電熱ヒータが発熱するので、二カ所を同時に加熱することができる。
ここで、請求項４のように、双方の電熱ヒータを靴の中に入る大きさに形成しておけば、靴が濡れたときに夫々を一足の靴の中に入れて発熱させることにより、靴を乾燥させることができる。
また、双方の電熱ヒータをズボンの腰のポケットに入れておけば、腰を温めることができ、そのポケットに手を入れれば指先の暖を取ることができる。
そして、二つの電熱ヒータは、電気コードを介して互いに繋ぎ合わされているので片方を無くす心配もない。
【００１０】また、請求項２のように、両電熱ヒータの各々を電熱体とこれを収容するケース体とで構成し、双方のケース体を合体させたときに、電気コードを巻き付けるスプール型のコードリールとなる形状に形成しておけば、使用時は電熱ヒータを別々にして一足の靴の夫々に入れることができ、使用後はこれを合体させて電気コードを巻取ることができるので、極めてコンパクトになり電気コードが邪魔になることもなく携帯にも便利である。
【００１１】さらにまた、請求項５のように、ケース体に脱臭材を設ければ、靴乾燥時に臭気成分が生じても吸着され、いやな匂いが気になることもない。
【００１２】
【発明の実施の形態】
以下、本発明の実施の形態を図面に基づいて具体的に説明する。
図１は本発明に係るヒータ装置の一例を示す説明図、図２はその断面図、図３はケース体同士の係合状態を示す説明図、図４は収納状態を示す説明図、図５は使用状態を示す説明図、図６及び図７は他の実施形態を示すケース体の断面図である。
【００１３】図１及び図２に示すヒータ装置１は、二つの電熱ヒータ２Ｒ、２Ｌが、各々に電源電力を供給する電気コード３を介して互いに繋ぎ合わされると共に、その電気コード３に、電源となる電池４を接続する接続端子具５が設けられている
【００１４】各電熱ヒータ２Ｒ、２Ｌは、各々靴６（図５参照）の中に挿入可能な大きさ及び形状に形成されると共に、各々電熱体７とこれを収容するケース体８Ｒ、８Ｌとで構成されている。
前記電気コード３は、各々の電熱ヒータ２Ｒ、２Ｌを左右の靴にそれぞれ入れたときに電池を接続した接続端子具５を靴の外に出しておける長さに選定され、電極端子具５から各々の電熱ヒータ２Ｒ、２Ｌまでの長さが、通常の靴では男性・女性とも片側２０〜３０ｃｍ程度、ブーツ用は８０ｃｍ程度の長さに選定されている。
また、接続端子具５は、９Ｖ角型電池４の陽極と陰極を嵌合させる陽極プラグ５ａと陰極プラグ５ｂを備えている。
【００１５】電熱体７としては、９Ｖ角型電池４を電源としたときに発熱上限温度が８０℃になるように設計されたシート状のセラミックヒータや、温度が８０℃に維持される自己温度制御機能付きのヒータが用いられている。
なお、この温度条件は、靴６の接着剤が溶融しない温度であり、これより高くなると接着剤が溶けて乾燥時に靴が型崩れするおそれがある。
したがって、この温度条件が満たされれば、夫々の電熱ヒータ２Ｒ、２Ｌの各電熱体７が電池４に対して直列に接続されていても並列に接続されていてもよく、電源電池の電圧も９Ｖに限定されるものではない。
また、電気コード３は、各ケース体８Ｒ、８Ｌにプラグ３Ｒ、３Ｌを介して抜差可能に形成しても、予めハンダなどにより抜差不能に接続されていても良い。
【００１６】ケース体８Ｒ、８Ｌは、互いに脱着自在に合体して前記電気コード３を巻き付けるスプール型のコードリール１０を成す形状に形成されている。
具体的には、ケース体８Ｒ、８Ｌは、直径約５ｃｍ程度の偏平円形状に形成されると共に、ケース体８Ｒ、８Ｌ同士を脱着自在に合体させる係合部９が形成されている。
また、ケース体８Ｒ、８Ｌは、雌雄二種類の型を製造する手間がないように係合部９などを含めて全く同型に形成されている。
【００１７】具体的には、係合部９は、中心角１１０°程度の大径の環状突起からなる外嵌部１１Ａと、これに内接する中心角１１０°程度の小径の環状突起からなる内嵌部１１Ｂが対向して形成されている。
そして、一方のケース体８Ｒ（８Ｌ）の外嵌部１１Ａの内周面に形成された突起１２Ａが、他方のケース体８Ｌ（８Ｒ）の内嵌部１１Ｂの外周面に形成された係合溝１２Ｂと係合するようになっている。
【００１８】ケース体８Ｒ、８Ｌの周面には、夫々の突起１２Ａと係合溝１２Ｂを嵌め合わせるときの位置決めガイドとなる指標１３Ｒ、１３Ｌが描かれており、指標１３Ｒ、１３Ｌを合わせた状態で各ケース体８Ｒ、８Ｌの係合部９を向き合わせて近づけると、図３（ａ）に示すように、夫々の突起１２Ａが係合溝１２Ｂに入って行くようになっている。
次いで、各ケース体８Ｒ、８Ｌを反対方向に回転させると、係合溝１２Ｂは徐々に浅くなっているので、図３（ｂ）に示すように、突起１２Ａが係合溝１２Ｂとしっかり係合することとなる。
【００１９】このようにしてケース体８Ｒ、８Ｌ同士を係合させると、係合部９はケース体８Ｒ、８Ｌより小径に形成されているので、図４（ａ）に示すようにケース体８Ｒ、８Ｌがフランジとなり、係合部９がコアとなるスプール型のコードリール１０となる。
【００２０】したがって、図４（ｂ）に示すように、コードリール１０のコアとなる係合部９に電気コード３を巻き付ければ、収納時に電気コード３が絡んだり邪魔になったりすることもない。
また、ケース体８Ｒ、８Ｌ同士を係合させた状態で、図３（ｂ）及び図４（ａ）に示すように、コードリール１０にコアとなる係合部９の内外を貫通する開口部１５が形成されるように、夫々のケース体８Ｒ、８Ｌの外嵌部１１Ａ、内嵌部１１Ｂに隙間を形成しておけば、巻き付けた電気コード３の終端となる接続端子具５を前記開口部１５から内部に挿し込むことができ、巻き取った電気コード３が解けないようになっている。
さらに、係合部９を下向きにしてケース体８Ｒ、８Ｌを被加熱物の上に置くと、電熱ヒータ２Ｒ、２Ｌと被加熱物の間に空気を流通させる隙間が形成されるようになっている。
【００２１】以上が本発明の一例構成であって、次にその作用を説明する。
まず、濡れた靴を乾燥する場合は、図４（ｂ）のように収納状態にあるヒータ装置１の接続端子具５を抜き出して電気コード３を解き、図５に示すように、ケース体８Ｒ、８Ｌを係合部９を下向きにして左右の靴６の爪先側に夫々入れて、９Ｖ角型電池４を接続端子具５に接続する。
これにより、電池４から電源電力が供給されて各電熱ヒータ２Ｒ、２Ｌが発熱し、靴６のソール６ａが約８０℃に加熱される。８０℃程度であれば靴の接着剤が溶けて型崩れすることもない。
【００２２】このとき、係合部９が脚となって電熱ヒータ２Ｒ、２Ｌをソール６ａから浮かした状態に支持し、その間に空気が流れ易くなるので、湿った空気がこもらず乾燥効果が高くなる。
【００２３】そして、乾燥・加熱終了したときは、係合部９を向かい合わせてケース体８Ｒ、８Ｌ同士を合体させればよい。
このようにしてケース体８Ｒ、８Ｌ同士を係合させると、係合部９はケース体８Ｒ、８Ｌより小径に形成されているので、そのケース体８Ｒ、８Ｌがフランジとなり係合部９がコアとなるスプール状のコードリール１０が形成され、ここに電気コード３を巻きつければ、収納時にコード３が絡んだり邪魔になったりすることもない。
【００２４】図６及び図７は本発明の他の実施形態を示し、図１及び図２と共通する部分は同一符号を付して詳細説明を省略する。
図６に示すヒータ装置２１は、ケース体８Ｒ、８Ｌの上面に電熱ヒータ２Ｒ、２Ｌにより加熱される金属プレート２２と、これを覆う断熱蓋２３が設けられている。
この断熱蓋２３を外してケース体８Ｒ、８Ｌを靴６の爪先側に入れ、電熱ヒータ２Ｒ、２Ｌに通電すれば、ケース体８Ｒ、８Ｌの上面に設けられた金属プレート２２も加熱されて盛んに放熱するので、靴６の濡れ易い爪先部分のソール６ａと甲皮６ｂを同時に加熱することができる。
【００２５】なお、このヒータ装置２１は、金属プレート２２が加熱されるので、この金属プレート２２に芳香液を直接滴下したり芳香液を染み込ませたマットを置くことによりアロマテラピーの熱源などとして使用することも可能である。また、この場合に、金属プレート２２を覆う断熱蓋２３を下に敷けば、電熱ヒータ２Ｒ、２Ｌからこれを置いた机や棚板への放熱を遮断でできる。
【００２６】さらに、図７に示すヒータ装置３１は、ケース体８Ｒ、８Ｌの内部に活性炭などの脱臭材３２が充填され、その上面がパンチングメタル等の通気板３３で覆われている。
このようにすれば、靴６を加熱したときに臭気成分が生じても、通気板３２を通って脱臭材３３に吸着されるので、匂いが気になることもない。
また、８０℃の雰囲気で吸着された臭気成分は、それ以上の温度にならなければ発散されないので、通常の使用時にその臭気成分が漏れ出すことはない。
この脱臭材３３は、ケース体８Ｒ、８Ｌの内部に充填する場合に限らず、例えば、脱臭成分を含有したシート状の脱臭材をケース体８Ｒ、８Ｌの上面に貼って設けても良い。
【００２７】なお、ケース体８Ｒ、８Ｌは円形に限らず、楕円型、靴底型など任意の形状に形成できるが、携帯の便と、爪先部分のみが濡れやすいことを考えると、爪先側に入る程度の大きさで十分である。
また、靴６を乾燥させる場合に限らず、各電熱ヒータ２Ｒ，２Ｌをズボンの左右の腰ポケットに入れて、指や腰を温める携帯カイロとして使用することもできる。この場合は、電熱体７の上限温度を低温火傷が生じない程度の温度に設計したり、電熱ヒータ２Ｒ，２Ｌを布袋に入れて放熱温度を低くおさえるようにすれば良い。
【００２８】
【発明の効果】
以上述べたように、本発明によれば、電池を接続端子具に接続するだけで一対の電熱ヒータが加熱されるので、これを濡れた靴の中に入れれば家庭でも外出先でも靴を加熱して乾燥させたり、ズボンの左右の腰ポケットにいれれば腰を温めることができ、そのポケットに手を入れて手を温めたりすることができるという大変優れた効果を奏する。
【図面の簡単な説明】
【図１】本発明に係るヒータ装置の一例を示す説明図。
【図２】電熱ヒータの断面図。
【図３】電熱ヒータを合体させるときの係合部を示す説明図。
【図４】合体した電熱ヒータを示す外観図。
【図５】使用状態を示す説明図。
【図６】他の実施形態を示す電熱ヒータの断面図。
【図７】他の実施形態を示す電熱ヒータの断面図。
【符号の説明】
１………ヒータ装置
２Ｒ、２Ｌ………電熱ヒータ
３………電気コード
４………電池
５………接続端子具
５ａ……陽極プラグ
５ｂ……陰極プラグ
６………靴
７………電熱体
８Ｒ、８Ｌ………ケース体
９………係合部
１０………コードリール
【図１】
2004225941.tif 000003
【図２】
2004225941.tif 000004
【図３】
2004225941.tif 000005
【図４】
2004225941.tif 000006
【図５】
2004225941.tif 000007
【図６】
2004225941.tif 000008
【図７】
2004225941.tif 000009